(57)【要約】【課題】熟練者による特殊作業を不要とし、生産性を向上させ、品質のばらつきを無くした通信機器筐体のコネクタ取り付け部の防水、防錆構造を提供する。【解決手段】通信機器筐体２０のコネクタ取り付け部の開口に沿った周囲に筐体表面より若干突出した突条２０１を有しその内側の第一の溝２０２に取り付けられたＯリング３と、外側の根元の第二の溝２０３に嵌合したパッキン５を備え、突条２０１の上部の平面部２０４、第二の溝２０３等の取り付け面は塗装マスキングされ、コネクタ２の取り付け状態で筐体内への防水とコネクタ取り付け部の防水、防錆機能を与える。特に、コネクタ２を筐体に組み立てる際に使用するパッキン５の一部分がコネクタ取り付け部より筐体の塗装面２１にはみ出るように構成して、筐体表面と塗装の間の水分の浸入を防止する。【選択図】図２
2007073269.tif 000002
【特許請求の範囲】
【請求項１】
筐体固定用の鍔を備えるコネクタが取り付けられる通信機器筐体のコネクタ取り付け部構造であって、筐体に形成したコネクタの取り付け用の開口と、前記開口の周囲に沿って筐体の外部表面に形成した前記鍔と係合する突条と、前記突条の開口側に形成したＯリングを取り付ける第一の溝と、前記突条の前記開口と反対側の根元に形成したパッキンを嵌合する第二の溝とを備え、前記突条及び第二の溝の表面を非塗装としたことを特徴とする通信機器筐体のコネクタ取り付け部構造。
【請求項２】
前記第一及び第二の溝は、前記突条の上面に対し段差形状として形成されていることを特徴とする請求項１記載の通信機器筐体のコネクタ取り付け部構造。
【請求項３】
前記第二の溝の底面は筐体の外部表面より下部に形成されていることを特徴とする請求項２記載の通信機器筐体のコネクタ取り付け部構造。
【請求項４】
前記第二の溝は前記パッキンを固定可能な形状を有し、前記パッキンが筐体に一体形成されていることを特徴とする請求項２又は３記載の通信機器筐体のコネクタ取り付け部構造。
【請求項５】
前記突条の第二の溝側の側面は前記パッキンを固定可能な形状を有し、前記パッキンが筐体に一体形成されていることを特徴とする請求項２又は３記載の通信機器筐体のコネクタ取り付け部構造。
【請求項６】
コネクタの鍔が前記突条の上面に固定可能であり、前記Ｏリング、パッキン及びコネクタの取り付け状態で、前記Ｏリング及びパッキンは前記鍔の下面で押圧され、パッキンの一部分が筐体の外部表面の塗装面にはみ出るように構成したことを特徴とする請求項１ないし５の何れかの請求項記載の通信機器筐体のコネクタ取り付け部構造。
【請求項７】
前記Ｏリングは、前記鍔の下面による押圧により前記第一の溝及び突条の側面に密着することを特徴とする請求項１ないし６の何れかの請求項記載の通信機器筐体のコネクタ取り付け部構造。
【請求項８】
通信機器は携帯電話機基地局装置であることを特徴とする請求項１ないし７の何れかに記載の通信機器筐体のコネクタ取り付け部構造。
【発明の詳細な説明】
【技術分野】
【０００１】
本発明は屋外に曝露設置する通信機器に関し、特に他の機器と有線で接続するための通信機器のコネクタ取り付け部の防水及び防腐食構造に関する。
【背景技術】
【０００２】
携帯電話システムの基地局装置のように屋外に曝露設置される屋外設置機器が携帯電話機等の普及に伴って急増してきている。このような屋外設置機器のシステム構成は通信機器１の本体とアンテナとからなり、機器本体とアンテナとの接続は筐体に取り付けたコネクタを介して有線で行われる。
【０００３】
図５は従来の屋外設置機器の外観斜視図であり、図６はそのコネクタ取り付け部のＢ−Ｂ断面図である。屋外設置機器の筐体１０はアルミニューム等の耐食性の良い材料からなり、アンテナ等の他機器と有線により接続するためのコネクタ２は電気的特性から黄銅などで構成されている。また、筐体１０の素地は表面処理が施されるとともに、側壁に形成された凹部よりなるコネクタ取り付け部にはシリコーンゴムなどの弾性体からなる防水パッキンとしてＯリング３を介在させてコネクタ２が取付けられている。コネクタ２を取付けた状態でコネクタ取り付け部の表面１０ａとコネクタ２の鍔（コネクタ鍔）にＯリング３が密着して筐体１０内への水の侵入を防止する。
【０００４】
更に、筐体１０の外部等の表面１０ｂには塗装により塗装面１１が形成されるが、コネクタ鍔が接触する部分は電気的な接触を確保するために塗装逃げが設けられているため、コネクタ鍔端面と塗装面の間に腐食が発生しやすい。また、筐体１０の素地には耐蝕性を向上させる表面処理が施されるが、設置環境の違いにより耐蝕性の持続性質は異なり、特に海岸近くや交通量の多い道路沿いなど、塩分や亜硫酸ガスによる腐食が激しい場所では耐蝕性が劣化する。
【０００５】
耐食性が劣化した状態でコネクタ取り付け部に水分が介在すると、コネクタ２を構成する材料、例えば黄銅と、筐体１０を構成する材料、例えばアルミニュームとでは、イオン化傾向が異なるため電位差が生じ、コネクタ２と筐体１０との間に電池が形成され、腐食反応が進行する。従って、筐体１０のコネクタ取り付け部は十分な防水、防錆処置を施すことが重要である。
【０００６】
図７は従来の通信機器のコネクタ取り付け部の防水、防錆構造の例を示す図である（特許文献１、図４参照）。この防水構造では、筐体１０のコネクタ取り付け部とコネクタ鍔との間をシリコーン接着剤４によるコーティングを施して構成し、防水、防錆機能を持たせている。このためには、筐体１０へのコネクタ２の取り付けを完了し、通信機器の特性、性能等の最終検査後に当該箇所にシリコーン接着剤４を塗布して乾燥させる作業が必要となる。
【特許文献１】特開２０００−２７７２０３号公報
【発明の開示】
【発明が解決しようとする課題】
【０００７】
従来のコネクタ取り付け部の防水、防錆構造は、筐体に取り付けたコネクタ鍔の接続部分に対して硬化型のシリコーン接着剤をコーティングして構成しているが、このようなシリコーン接着剤の塗布は熟練者の手作業となる。特に、コネクタ側への流動性のシリコーン接着剤の塗布においては材料が垂れ下がらないように、コネクタ取り付け面を上にした状態で作業を行い、その状態で一定時間放置して乾燥させることになる。かかる手作業は生産現場では嫌がられるばかりでなく、硬化に時間もがかかるので生産性が劣る作業となり、更に手作業による品質上のばらつきが生じるという点で問題がある。
【０００８】
本発明の目的は、以上のような問題を解決するものであり、生産性を向上させることが可能な通信機器筐体のコネクタ取り付け部構造を提供することにある。  
本発明の他の目的は、品質のばらつきの少ない通信機器筐体のコネクタ取り付け部構造を提供することにある。  
本発明の他の目的は、生産工場の熟練者による特殊作業が不要とし、一般の作業者でも防水、防錆工事を可能とする通信機器筐体のコネクタ取り付け部構造を提供することにある。  
本発明の他の目的は、生産リードタイムも短縮することが可能な通信機器筐体のコネクタ取り付け部構造を提供することにある。
【課題を解決するための手段】
【０００９】
本発明の通信機器筐体のコネクタ取り付け部構造は、筐体固定用の鍔を備えるコネクタが取り付けられる通信機器筐体のコネクタ取り付け部構造であって、筐体に形成したコネクタの取り付け用の開口と、前記開口の周囲に沿って筐体の外部表面に形成した前記鍔と係合する突条と、前記突条の開口側に形成したＯリングを取り付ける第一の溝と、前記突条の前記開口と反対側の根元に形成したパッキンを嵌合する第二の溝とを備え、少なくとも前記突条及び第二の溝の表面は非塗装としたことを特徴とし、前記第一及び第二の溝は、前記突条の上面に対し段差形状として形成され、前記第二の溝の底面は筐体の外部表面より下部に形成され、更に前記第二の溝又は前記突条の第二の溝側の側面は前記パッキンを固定可能な形状を有し、前記パッキンが筐体に一体形成されていることを特徴とする。
【００１０】
また、コネクタの鍔が前記突条の上面に固定可能であり、前記Ｏリング、パッキン及びコネクタの取り付け状態で、前記Ｏリング及びパッキンは前記鍔の下面で押圧され、パッキンの一部分が筐体の第二の溝の近傍の塗装面にはみ出るように構成し、前記Ｏリングは、前記鍔の下面による押圧により前記第一の溝及び突条の側面に密着することを特徴とする。
【００１１】
より具体的には、通信機器１の側壁に設けた開口の周囲に沿って形成した突条に、アンテナ等への接続用のコネクタ２の鍔が取り付けられ、コネクタ２は筐体２０に防水性を持たせるため０リング３を介在させてネジ等で取り付ける。筐体２０は耐食性を向上させるために、下地処理（アルミニュームの場合はクロメート処理）を行い、コネクタ取り付け部の平面部２０４等をマスキングして塗装を施す。０リング３は第一の溝２０２に配置され、コネクタの鍔で押圧される様に選定、配置する。更に、コネクタの鍔の端部で押圧される耐候性の良いシリコーンゴム系の弾性体でなるパッキン５を配置する第二の溝２０３を形成する。（図１、２）
【００１２】
（作用）
通信機器筐体のコネクタ取り付け部の開口に沿った周囲に筐体表面より若干突出した突条を有しその内側の第一の溝に取り付けられたＯリングと、外側の根元の第二の溝に嵌合したパッキンを備え、突条の上部の平面部、第二の溝等の取り付け面は塗装マスキングがされ、コネクタの取り付け状態で筐体内への防水とコネクタ取り付け部の防水、防錆機能を与える。特に、コネクタを筐体に組み立てる際に使用するパッキンの一部分がコネクタ取り付け部より筐体の塗装面にはみ出るように構成して、筐体表面と塗装面の間の水分の浸入を防止するように構成し、手作業が回避可能で、ばらつきをなくし、シリコーン接着剤によるコーティングと同等以上の防水、防錆機能を持たせる。
【発明の効果】
【００１３】
本発明によれば、コネクタの取り付け用の開口の周囲に沿って筐体の外部表面に形成した突条と、前記突条の開口側に形成したＯリングを取り付ける第一の溝と、前記突条の前記開口と反対側の根元に形成したパッキンを嵌合する第二の溝とを備え、前記突条及び第二の溝の表面は非塗装としたことにより、硬化型のシリコーン接着剤を使用しないで防水、防錆を可能としたので生産工場の熟練者による特殊作業が不要となり、一般の作業者でも品質のばらつきのない防水、防錆工事が可能になり、更に、乾燥等の待ち時間も無くなるので、生産リードタイムも短縮され、生産性が向上する。
【００１４】
また、前記第一及び第二の溝は、前記突条の上面に対し段差形状として形成され、前記第二の溝の底面は筐体の外部表面より下部に形成され、また、第二の溝側の側面は前記パッキンを固定可能な形状を有し、前記パッキンを筐体に一体形成することにより、組み立てが容易となり作業性が向上する。
【００１５】
筐体の第一の溝にはＯリングが配置され、更に、第二の溝にはパッキンが配置され、それぞれコネクタの鍔の下部及び端部で押圧され、特にコネクタの鍔で押圧されるパッキンは第二の溝から外側にはみ出し、筐体の塗装面まで広がって筐体とコネクタの鍔の端部の隙間が密閉されるので、設置場所の悪い雰囲気（水分、塩分、亜硫酸ガス等）による取り付け部の防水及び腐食の防止が可能である。
【００１６】
更に前記鍔の下面による押圧により前記Ｏリングを前記第一の溝の上面及び突条の側面に密着させることにより、筐体内部への防水機能を高めるとともに耐食性等を改善し腐食を防止することが可能である。
【発明を実施するための最良の形態】
【００１７】
（実施の形態１）
本発明の通信機器筐体のコネクタ取り付け部構造の実施の形態について説明する。  
図１は本発明の一実施の形態の通信機器の外観斜視図であり、図２は通信機器筐体のコネクタ取り付け部のＡ−Ａ断面を示す図である。以下、図１、２によりコネクタ取り付け部構造を詳細に説明する。
【００１８】
本実施の形態の通信機器１の筐体２０は、図２に示すように側壁（側面）部分等にコネクタの取り付け用の開口が形成され、該開口の周囲の外側に沿って、筐体外面より突出しその上面がコネクタ取り付け用の平面部２０４とした土手状でなる突条２０４が形成され、該突条２０４の内側（開口側）に前記平面部２０４から一段低い段差形状（第一の溝）２０２が形成され、更に突条２０４の外側の根元にも平面部２０４に対し段差形状又は断面凹形状（第二の溝）２０３が形成されたコネクタ取り付け部構造を有する。
【００１９】
一方、コネクタ２はアンテナ等と同軸ケーブル等を介して接続するための外部部材２ｂ、筐体内部の回路基板等と接続するための内部部材２ｃ及び前記外部部材２ｂと内部部材２ｃの中間の部材でなり、前記筐体２０の平面部２０４に下面が搭載されネジ等で固着されるコネクタ２の取付用の鍔状部材（鍔）２ａからなる構造を有する。
【００２０】
また、筐体２０の素地は耐食性を向上させるために、下地処理（アルミニュームの場合はクロメート処理）が施されており、コネクタ取り付け部の第一の溝２０２、突条２０１（平面部２０４）及び第二の溝２０３の部分を非塗装とするためマスキングして塗装が施されている。
【００２１】
そして、筐体２０とコネクタ２とからなるコネクタ取り付け部は、筐体２０の第一の溝２０２に防水性を持たせるための弾性を有するＯリング３が配置され、第二の溝２０３にリング形状等のシリコーンゴム系のパッキン５が配置され、筐体２０の開口にコネクタ２の内部部材２ｃが挿入され、コネクタ２の鍔２ａの下面がＯリング３及びパッキン５をその弾性に抗して押圧するとともに、平面部２０４に圧接するように鍔２ａの上面からネジ等を螺合して固定された構造を有する。
【００２２】
この構造により、シリコーンゴム系のパッキン５はコネクタ２の鍔２ａの淵で押圧されることにより変形し、第二の溝２０３から部分的にはみ出して筐体２０の塗装面２１の端部上面まで緊密に覆うとともに、鍔２ａと筐体２０の突条２０１の平面部２０４の係合部分も押し潰されたパッキン５の上部により緊密に覆うことにより、コネクタ取り付け部や塗装面２１に雨や海水などの水分が降りかかり、また、滞留したとしても、筐体２０の上面と塗膜との間への浸透を確実に阻止して当該箇所に腐食が発生することを防止し、また、鍔２ａと平面部２０４の係合部分への浸透を阻止して同様の腐食が発生することを防止する。
【００２３】
従って、本構造により従来のシリコーン接着剤によるコーティングと同等以上の防水、防錆機能を持たせることができ、設置場所が悪雰囲気（水分、塩分、亜硫酸ガス等）である場合においても筐体外部及び筐体内部の腐食を防止することが可能である。更に、Ｏリング３は鍔２ａの下面からの押圧による変形により開口部の第一の溝２０２を構成する段差の上面及び側面の両面に密着するようなＯリング３の径、太さ等の形状を選定することにより、筐体２０の内部に対する防水、防錆機能をも一層高めることが可能である。
【００２４】
（実施の形態２）
図３は本発明の第２の実施の形態の通信機器筐体のコネクタ取り付け部構造を示す図である。本実施の形態は第二の溝の断面形状を変形した構成例であり、突条２０１の外側にパッキンを固定しやすくコネクタ２の取り付け作業が容易にできるように構成したものである。第二の溝２０５の構造として溝側壁の断面形状が上下方向に平行ないし溝の下部方向に若干広がりを有する形状構造とするとともに、パッキン６として下部方向の横幅が平行ないし若干広がりを有する形状とし、コネクタ２の取り付けにあたりパッキン６を当該第二の溝２０５に押圧して挿入し固定する。本実施の形態によれば、パッキン６が第二の溝２０５に確実に固定され、コネクタ２の挿入、固定時に外れたり移動することを防止することが可能である。
【００２５】
（実施の形態３）
図４は本発明の第３の実施の形態の通信機器筐体のコネクタ取り付け部構造を示す図である。図２、３に示す実施の形態では、突条２０４の外側にも筐体表面（外面）に対し断面凹形状でなる第二の溝２０３、２０５が形成されたコネクタ取り付け部構造としているが、本実施の形態では突条２０４の外側の筐体表面は凹形状に代えて平坦とし、突条と塗装との間の塗装をしていない部分を第二の溝２０６としたものである。
【００２６】
実施の形態３においては、筐体２０自体への溝構造の形成が容易であり、突条２０１の第二の溝２０６側の側壁と、該側壁側の筐体表面とのなす角を直角ないし僅かに鋭角とすることでリング状等のパッキン７の取り付け及び組み立ての作業性を良くすることが可能である。
【００２７】
更に以上の実施の形態、特に実施の形態２、３の構成において、パッキンは突条に固定し、筐体２０に対する一体形成された部品として構成することが可能であり、これにより組み立ての作業性を大幅に改善することが可能であり、作業性をより向上でき、防水、防錆機能を高めることが可能である。
【図面の簡単な説明】
【００２８】
【図１】本発明の一実施の形態の通信機器の外観斜視図である。
【図２】通信機器筐体のコネクタ取り付け構造のＡ−Ａ断面を示す図である。
【図３】本発明の第２の実施の形態のコネクタ取り付け構造を示す図である。
【図４】本発明の第３の実施の形態のコネクタ取り付け構造を示す図である。
【図５】従来の屋外設置機器の外観斜視図である。
【図６】従来の屋外設置機器のコネクタ取り付け構造のＢ−Ｂ断面図である。
【図７】従来のコネクタ取り付け部の防水、防錆構造の例を示す図である。
【符号の説明】
【００２９】
１  通信機器
２  コネクタ
２ａ  鍔
２ｂ  外部部材
２ｃ  内部部材
３  Ｏリング
４  シリコーン接着剤
５、６、７  パッキン
１０、２０  筐体
１０ａ、１０ｂ  表面
１１、２１  塗装面
２０１  突条
２０２  第一の溝
２０３、２０５、２０６  第二の溝
２０４  平面部
【図１】
2007073269.tif 000003
【図２】
2007073269.tif 000004
【図３】
2007073269.tif 000005
【図４】
2007073269.tif 000006
【図５】
2007073269.tif 000007
【図６】
2007073269.tif 000008
【図７】
2007073269.tif 000009